(57)【要約】【課題】  突然シャッタチャンスがめぐってきたとき等に、素早く適切な撮影パラメータ値を設定して撮影可能な撮像装置を提供する。【解決手段】  まず、電源スイッチ２０がＯＮになると（ステップＳ１０）、テレボタン２４Ｔ及びワイドボタン２４Ｗが押し下げられている場合（ステップＳ１４）、ズームのプリセット位置がＰ３に設定されて撮像装置１０が起動される（ステップＳ１６）。一方、テレボタン２４Ｔのみが押し下げられている場合（ステップＳ１４）、ズームのプリセット位置はＰ５となる（ステップＳ１８）。一方、ワイドボタン２４Ｗのみが押し下げられている場合（ステップＳ２０）、ズームのプリセット位置はＰ１となる（ステップＳ２２）。一方、テレボタン２４Ｔ及びワイドボタン２４Ｗがともに押し下げられていない場合（ステップＳ２０）、ズームのプリセット位置はＰ３となる（ステップＳ２４）。なお、プリセット位置とスイッチの対応関係は上記の例に限定されない。【選択図】      図４
2006189589.tif 000002
【特許請求の範囲】
【請求項１】
撮像光学系と、
電源の投入指示を入力するための電源投入手段と、
複数の操作部材からなる操作入力手段と、
前記電源投入手段により電源が投入された際に操作されていた操作部材の種類に応じて撮影パラメータ値をプリセットする制御手段と、
を備えることを特徴とする撮像装置。
【請求項２】
前記制御手段は、前記電源投入手段により電源が投入された際に操作されていた、前記撮影パラメータ値の変更に係る操作部材の近傍に配設された操作部材が操作されていた場合に、前記撮影パラメータ値をデフォルトの値にプリセットすることを特徴とする請求項１記載の撮像装置。
【請求項３】
前記撮像光学系は、ズーム機能を有しており、
前記撮影パラメータ値は、前記撮影光学系のズーム位置であることを特徴とする請求項１又は２記載の撮像装置。
【発明の詳細な説明】
【技術分野】
【０００１】
本発明は撮像装置に係り、特にズーム機能を有する撮像装置に関する。
【背景技術】
【０００２】
従来、撮影者がファインダに目を近づけると、その接眼状態を検知してオートフォーカスやズーム等の動作を自動的に開始するカメラが開発されている。また、特許文献１には、スイッチ操作等を必要とせず、撮影者とカメラ本体との間の距離に基づいて、ズーム位置等の各種撮影パラメータ値を変更制御できるようにしたカメラについて開示されている。
【特許文献１】特開２００３−１９５１４５号公報
【発明の開示】
【発明が解決しようとする課題】
【０００３】
従来の撮像装置では、電源の投入時にズームレンズの位置等の撮影パラメータ値はデフォルト値に自動的に設定される。したがって、撮像装置の電源がＯＦＦの時に急に撮影を行いたくなった場合にも、いったん撮影パラメータ値がデフォルト値に設定された状態で起動された後、あらためてズーム等の設定を行うことになる。このため、起動の待ち時間やズーム等の撮影パラメータ値の設定を行っている間に、突然のシャッタチャンスを逃してしまうという問題があった。
【０００４】
本発明はこのような事情に鑑みてなされたもので、突然シャッタチャンスがめぐってきたとき等に、素早く適切な撮影パラメータ値を設定して撮影可能な撮像装置を提供することを目的とする。
【課題を解決するための手段】
【０００５】
上記目的を達成するために請求項１に係る撮像装置は、撮像光学系と、電源の投入指示を入力するための電源投入手段と、複数の操作部材からなる操作入力手段と、前記電源投入手段により電源が投入された際に操作されていた操作部材の種類に応じて撮影パラメータ値をプリセットする制御手段とを備えることを特徴とする。
【０００６】
請求項１に係る撮像装置によれば、撮像装置の起動時の撮影パラメータ値を設定できるため、撮像装置の起動から撮影実行までの間に撮影パラメータ値の設定作業を行う手間が最小限で済むという利点がある。これにより、突然シャッタチャンスがめぐってきた時等にも素早く対応できる。
【０００７】
請求項２に係る撮像装置は、請求項１において、前記制御手段は、前記電源投入手段により電源が投入された際に操作されていた、前記撮影パラメータ値の変更に係る操作部材の近傍に配設された操作部材が操作されていた場合に、前記撮影パラメータ値をデフォルトの値にプリセットすることを特徴とする。
【０００８】
請求項２に係る撮像装置によれば、起動時に撮影パラメータ値の変更に係る操作部材とともにその近傍に配設された操作部材が操作されていた場合には、撮影パラメータ値をデフォルト値とする。これにより、起動時に撮影パラメータ値の変更に係る操作部材に偶然手が触れていた場合等に、ユーザの意志に反して撮影パラメータ値が設定されるのを防止できる。
【０００９】
請求項３に係る撮像装置は、請求項１又は２において、前記撮像光学系は、ズーム機能を有しており、前記撮影パラメータ値は、前記撮影光学系のズーム位置であることを特徴とする。請求項３は、請求項１及び２における撮影パラメータ値をズーム位置に限定したものである。
【発明の効果】
【００１０】
本発明によれば、起動時の撮影パラメータ値を設定できるため、撮像装置の起動から撮影実行までの間に撮影パラメータ値の設定作業を行う手間が最小限で済む。これにより、突然シャッタチャンスがめぐってきた時等にも素早く対応できる。
【発明を実施するための最良の形態】
【００１１】
以下、添付図面に従って本発明に係る撮像装置の好ましい実施の形態について説明する。図１は、本発明の一実施形態に係る撮像装置を示す外観図である。図１（ａ）は撮像装置の正面図であり、図１（ｂ）は上面図、図１（ｃ）は背面図である。同図に示す撮像装置１０は、被写体の静止画像または動画像を電子的に撮像するデジタルカメラである。
【００１２】
図１（ａ）に示すように、撮像装置（デジタルカメラ）１０の正面には、レンズ１２、ファインダ窓１４、ストロボ発光部１６が露呈している。また、図１（ｂ）に示すように、デジタルカメラ１０の上面には、レリーズボタン１８が配設されている。
【００１３】
レリーズボタン１８は２段階式に構成され、レリーズボタン１８を軽く押して止める「半押し（Ｓ１＝ＯＮ）」の状態で自動ピント合わせ（ＡＦ）及び自動露出制御（ＡＥ）が作動してＡＦとＡＥをロックし、「半押し」から更に押し込む「全押し（Ｓ２＝ＯＮ）」の状態で撮影が実行される。
【００１４】
図１（ｃ）に示すように、デジタルカメラ１０の背面には、電源スイッチ２０、ファインダ２２、ズームスイッチ２４（ワイドボタン２４Ｗ及びテレボタン２４Ｔ）、マルチファンクションスイッチ（十字ボタン２６及びＯＫボタン２８）、メニュースイッチ３０、ストロボモードスイッチ３２、セルフタイマモードスイッチ３４、削除ボタン３６、及び液晶モニタ（ＬＣＤ）３８等が配設されている。
【００１５】
電源スイッチ２０は、スライドスイッチであり、モード設定スイッチとしての役割を兼ねる。ツマミを右方向に移動させると、デジタルカメラ１０の電源をＯＦＦにする「ＯＦＦモード」、撮影用の「カメラモード」、及び撮影された画像の再生用の「再生モード」に順番に設定される。ズームスイッチ２４は、ズーム位置の設定を行うためのスイッチである。
【００１６】
十字ボタン２６は、上ボタン２６Ｕ、下ボタン２６Ｄ、左ボタン２６Ｌ及び右ボタン２６Ｒからなり、上下左右の４方向の指示を入力可能な多機能操作部である。左ボタン２６Ｌ及び右ボタン２６Ｒは、それぞれ再生モード時に１コマ逆送りボタン、１コマ順送りボタンとして機能し、上ボタン２６Ｕ及び下ボタン２６Ｄは、再生ズーム機能等における倍率調整用のズームボタンとして用いられる。
【００１７】
また、十字ボタン２６は、メニュースイッチ３０の押下によって表示されるメニュー画面からメニュー項目を選択したり、各メニューにおける各種設定項目の選択を指示する操作ボタンとして機能する。十字ボタン２６によるメニュー項目等の選択は、ＯＫボタン２８の押し下げによって確定される。
【００１８】
メニュースイッチ３０は、各モードの通常画面からメニュー画面へ遷移させる時などに使用される。ストロボモードスイッチ３２は、撮影時にストロボ発光を行うかどうかの設定を行うスイッチである。セルフタイマモードスイッチ３４は、セルフタイマでの撮影を行う際に用いるスイッチであり、セルフタイマで撮影を行う際にレリーズボタン１８の押し下げ前に押し下げることによりセルフタイマモードで撮影を行えるようになっている。削除ボタン３６は、再生モード時に撮影した画像の消去を行うためのスイッチである。
【００１９】
液晶モニタ（ＬＣＤ）３８は、撮影時に画角確認用の電子ファインダとして使用できるとともに、撮影した画像のプレビュー画やデジタルカメラ１０に装填された記録メディア（図２の符号１１０）から読み出した再生画像等を表示することができる。また、十字ボタン２６を使用したメニューの選択や各メニューにおける各種設定項目の設定も液晶モニタ３８の表示画面を用いて行われる。更に、液晶モニタ３８には、撮影可能コマ数（動画については撮影可能時間）や再生コマ番号の表示、ストロボ発光の有無、マクロモード表示、記録画質（クオリティー）表示、画素数表示等の情報も表示される。
【００２０】
図２は、本発明の一実施形態に係る撮像装置の内部構成を示すブロック図である。同図に示す撮像装置１０は、被写体の静止画像または動画像を電子的に撮像するデジタルカメラであり、ＣＰＵ５０は、撮像装置１０内の各ブロックを制御する統括制御部である。なお、図中の符号５２はデータバスである。
【００２１】
撮像装置１０は、撮像部（撮像手段）として、撮影レンズ及び絞り等を含む光学系５４と、撮像素子（ＣＣＤ）５６とを備える。光学系５４には、アイリスモータドライバ５８と、ＡＦモータドライバ６０と、ズームカム６２とが接続されている。
【００２２】
アイリスモータドライバ５８は、この光学系５４内に設けられた絞りを変位させるアイリス用モータを駆動する。
【００２３】
ＡＦモータドライバ６０は、フォーカシングレンズを変位させるオートフォーカス（ＡＦ）用モータを駆動する。
【００２４】
ズームカム６２は、ズームモータ６４によって駆動されてズームレンズを変位させる。このズームレンズの位置情報はズームエンコーダ６６によってエンコードされてＣＰＵ５０に送信され、ズーム位置記憶部６８に記憶される。また、ズーム位置記憶部６８は、後述するズームのプリセット位置と、その設定に用いられるスイッチの対応関係を記憶する。
【００２５】
ＣＣＤ５６の出力側には、ＣＤＳアナログデコーダ７０、ホワイトバランスアンプ７２、γ補正回路７４、点順次化回路７６、Ａ／Ｄコンバータ７８が設けられ、ＣＣＤ５６による撮像信号の各種処理がなされてデジタルの画像信号が出力されるようになっている。また、ホワイトバランスアンプ７２には、電子ボリューム（ＥＶＲ）８０が接続され、このホワイトバランスアンプ７２の利得が制御されるようになっている。Ａ／Ｄコンバータ７８の出力はメモリコントローラ８２を介してメインメモリ８４に伝送され、撮像された被写体の画像データはメインメモリ８４に記憶される。
【００２６】
また、ＣＰＵ５０には操作部８６が接続されている。操作部８６は、図１に示したレリーズボタン１８、電源スイッチ２０、ズームスイッチ２４、マルチファンクションスイッチ（十字ボタン２６及びＯＫボタン２８）、メニュースイッチ３０、ストロボモードスイッチ３２、セルフタイマモードスイッチ３４、及び削除ボタン３６等の操作部材を含んでいる。
【００２７】
また、データバス５２には、圧縮伸長部８８、ＭＰＥＧエンコーダ＆デコーダ９０、ＹＣ信号作成部９２、外部メモリインターフェイス（外部メモリＩ／Ｆ）９４、外部機器接続インターフェイス（外部機器接続Ｉ／Ｆ）９６、モニタ（ＬＣＤ）ドライバ９８、オーディオ入出力回路１００が接続されている。
【００２８】
圧縮伸長部８８は、ＪＰＥＧ方式等による画像データの圧縮処理及び伸長処理を行うものである。ＭＰＥＧエンコーダ＆デコーダ９０は、ＭＰＥＧ方式の動画像データへの符号化及びＭＰＥＧ圧縮符号化された動画像データの復号化を行うものである。ＹＣ信号作成部９２は、ＮＴＳＣ方式の映像信号を生成するための輝度信号Ｙと色差信号Ｒ−Ｙ，Ｂ−Ｙとを分離生成するものである。ＹＣ信号作成部９２の後段には、輝度信号Ｙと色差信号Ｒ−Ｙ，Ｂ−Ｙの比を４：４：４から４：２：２に変換する色変換部１０２と、ＮＴＳＣ方式の映像信号を生成出力するＮＴＳＣエンコーダ１０４とが設けられている。
【００２９】
尚、上記の圧縮伸長部８８、ＭＰＥＧエンコーダ＆デコーダ９０、ＹＣ信号作成部９２、色変換部１０２、ＮＴＳＣエンコーダ１０４は、専用の信号処理回路で構成してもよいし、ＣＰＵ５０においてソフトウェアの処理により行うものやＤＳＰ等の信号処理回路において機能を持たせたものなどで構成することも可能である。
【００３０】
モニタ（ＬＣＤ）ドライバ９８には液晶モニタ（ＬＣＤ）３８が接続され、撮影しようとしている被写体のスルー動画や撮影後の記録画像、及び各種状態表示や設定画面などがＬＣＤ３８の画面上に表示されるようになっている。前記オーディオ入出力回路１００にはスピーカ１０６、及びマイク１０８が接続され、撮影時などにおける各種動作音が再生出力されるとともに、動画撮影時の音声信号が入力される。
【００３１】
このように構成された撮像装置１０において、被写体の像は光学系５４によってＣＣＤ５６の撮像面上に結像されて光電変換される。ＣＣＤ５６から出力される撮像信号は、ＣＤＳアナログデコーダ７０によって相関２重サンプリングが行われてノイズ成分がキャンセルされた後、ホワイトバランスアンプ７２でカラー画像信号のホワイトレベルが調整される。そして、γ補正回路７４でγ補正が行われ、点順次化回路７６を経てＡ／Ｄコンバータ７８によってＡ／Ｄ変換されてデジタルの画像データとして出力される。このデジタル画像データは、メモリコントローラ８２を介してメインメモリ８４に格納される。
【００３２】
前記デジタル画像データは、撮影中の被写体画像としてＬＣＤ３８の画面上に表示される。撮影者はこの被写体画像を見ながら、レリーズスイッチ１８を押圧してオンすることによって、被写体の静止画像または動画像を撮影する。撮影後の画像データは、圧縮伸長部８８で圧縮処理されて、ＭＰＥＧエンコーダ＆デコーダ９０でＭＰＥＧ圧縮符号化される。こうして処理されたデジタル画像データは、外部メモリＩ／Ｆ９４を介して外部の記録メディア１１０、あるいは外部機器接続Ｉ／Ｆ９６を介してパソコン等の外部機器１１２に送られて記録される。また、撮影した画像データは、ＹＣ信号作成部９２、色変換部１０２、ＮＴＳＣエンコーダ１０４を経てＮＴＳＣ映像信号に変換されてビデオ出力される。
【００３３】
図３は、ズーム位置を模式的に示す図である。本実施形態の撮像装置１０は、ワイド端２０ｍｍ、テレ端８０ｍｍの４倍ズームである。なお、以下の説明では、ワイド端２０ｍｍを位置Ｐ１とし、ワイド端から１５ｍｍごとのズーム位置を順番に位置Ｐ２（３５ｍｍ）、Ｐ３（５０ｍｍ）、Ｐ４（６５ｍｍ）、Ｐ５（テレ端８０ｍｍ）と呼ぶ。
【００３４】
以下、本発明に係るズーム位置のプリセット方法について説明する。図４は、本発明の第１の実施形態に係るズーム位置のプリセット方法を示すフローチャートである。まず、電源スイッチ２０がＯＮ（カメラモード）になると（ステップＳ１０）、ＣＰＵ５０によってテレボタン２４Ｔが押し下げられているかどうか検知される（ステップＳ１２）。ステップＳ１２においてテレボタン２４Ｔが押し下げられている場合、次いでＣＰＵ５０によってワイドボタン２４Ｗが押し下げられているかどうか検知される（ステップＳ１４）。ステップＳ１４においてワイドボタン２４Ｗが押し下げられている場合、ズームのプリセット位置がＰ３（５０ｍｍ、ワイド端Ｐ１とテレ端Ｐ５の中間）に設定されて撮像装置１０が起動される（ステップＳ１６）。一方、ステップＳ１４においてワイドボタン２４Ｗが押し下げられていない場合、ズームのプリセット位置がＰ５（テレ端８０ｍｍ）に設定されて撮像装置１０が起動される（ステップＳ１８）。
【００３５】
一方、ステップＳ１２においてテレボタン２４Ｔが押し下げられていない場合、次いでＣＰＵ５０によってワイドボタン２４Ｗが押し下げられているかどうか検知される（ステップＳ２０）。ステップＳ２０においてワイドボタン２４Ｗが押し下げられている場合、ズームのプリセット位置がＰ１（ワイド端２０ｍｍ）に設定されて撮像装置１０が起動される（ステップＳ２２）。一方、ステップＳ２０においてワイドボタン２４Ｗが押し下げられていない場合（あるいは、どのボタンも押されていない場合）、ズームのプリセット位置がデフォルト位置に設定されて撮像装置１０が起動される（ステップＳ２４）。ここで、デフォルト位置とは、起動時に何もスイッチが押されていない場合のズームのプリセット位置のことであり、本実施形態においては位置Ｐ３である。
【００３６】
本実施形態によれば、撮像装置１０の起動時のズーム位置をＰ１、Ｐ３又はＰ５の中から選択することができる。これにより、撮像装置１０の起動から撮影実行までの間のズーム位置の調整作業を行う手間が最小限で済むため、突然シャッタチャンスがめぐってきた時等にも素早く対応できる。
【００３７】
なお、本実施形態においては、電源スイッチ２０がＯＮになったときに押されているズームスイッチ２４の種類に応じてズームのプリセット位置を設定可能としたが、本発明はこれに限定されるものではなく、他のスイッチを用いてプリセット位置を設定できるようにしてもよい。
【００３８】
次に、ズーム位置のプリセット方法の別の実施形態について説明する。図５は、本発明の第２の実施形態に係るズーム位置のプリセット方法を示すフローチャートである。本実施形態においては、十字ボタンの左ボタン２６Ｌと右ボタン２６Ｒを用いてズームのプリセット位置を選択する。
【００３９】
まず、電源スイッチ２０がＯＮ（カメラモード）になると（ステップＳ３０）、ＣＰＵ５０によって右ボタン２６Ｒが押し下げられているかどうか検知される（ステップＳ３２）。ステップＳ３２において右ボタン２６Ｒが押し下げられている場合、次いでＣＰＵ５０によって左ボタン２６Ｌが押し下げられているかどうか検知される（ステップＳ３４）。ステップＳ３４において左ボタン２６Ｌが押し下げられている場合、ズームのプリセット位置がＰ３に設定されて撮像装置１０が起動される（ステップＳ３６）。一方、ステップＳ３４において左ボタン２６Ｌが押し下げられていない場合、ズームのプリセット位置がＰ５に設定されて撮像装置１０が起動される（ステップＳ３８）。
【００４０】
一方、ステップＳ３２において右ボタン２６Ｒが押し下げられていない場合、次いでＣＰＵ５０によって左ボタン２６Ｌが押し下げられているかどうか検知される（ステップＳ４０）。ステップＳ４０において左ボタン２６Ｌが押し下げられている場合、ズームのプリセット位置がＰ１に設定されて撮像装置１０が起動される（ステップＳ４２）。一方、ステップＳ４０において左ボタン２６Ｌが押し下げられていない場合（あるいは、どのボタンも押されていない場合）、ズームのプリセット位置がデフォルト位置（Ｐ３）に設定されて撮像装置１０が起動される（ステップＳ４４）。
【００４１】
次に、ズーム位置のプリセット方法の第３の実施形態について説明する。図６及び図７は、本発明の第３の実施形態に係るズーム位置のプリセット方法を示すフローチャートである。まず、図６のステップＳ５０において電源スイッチ２０がＯＮ（カメラモード）になると、ＣＰＵ５０によってテレボタン２４Ｔが押し下げられているかどうか検知される（ステップＳ５２）。ステップＳ５２においてテレボタン２４Ｔが押し下げられている場合、次いでＣＰＵ５０によってテレボタン２４Ｔの関連スイッチが押し下げられているかどうか検知される（ステップＳ５４）。ここで、テレボタン２４Ｔの関連スイッチとは、テレボタン２４Ｔの近傍にあるスイッチであり、例えば、ワイドボタン２４Ｗや上ボタン２６Ｕ等である。
【００４２】
ステップＳ５４においてテレボタン２４Ｔの関連スイッチが押し下げられている場合、ズームのプリセット位置がデフォルト位置（Ｐ３）に設定されて撮像装置１０が起動される（ステップＳ５６）。一方、ステップＳ５４においてテレボタン２４Ｔの関連スイッチが押し下げられていない場合、ズームのプリセット位置がＰ５に設定されて撮像装置１０が起動される（ステップＳ５８）。
【００４３】
一方、ステップＳ５２においてテレボタン２４Ｔが押し下げられていない場合、次いでＣＰＵ５０によってワイドボタン２４Ｗが押し下げられているかどうか検知される（ステップＳ６０）。ステップＳ６０においてワイドボタン２４Ｗが押し下げられている場合、次いでＣＰＵ５０によってワイドボタン２４Ｗの関連スイッチが押し下げられているかどうか検知される（ステップＳ６２）。ここで、ワイドボタン２４Ｗの関連スイッチとは、上記と同様、ワイドボタン２４Ｗの近傍にあるスイッチである。
【００４４】
ステップＳ６２においてワイドボタン２４Ｗの関連スイッチが押し下げられている場合、ズームのプリセット位置がデフォルト位置（Ｐ３）に設定されて撮像装置１０が起動される（ステップＳ６４）。一方、ステップＳ６４においてワイドボタン２４Ｗの関連スイッチが押し下げられていない場合、ズームのプリセット位置がＰ１に設定されて撮像装置１０が起動される（ステップＳ６６）。
【００４５】
次に、ステップＳ６０においてワイドボタン２４Ｗが押し下げられていない場合、次いで図７のステップＳ６８に進み、ＣＰＵ５０によって左ボタン２６Ｌが押し下げられているかどうか検知される。ステップＳ６８において左ボタン２６Ｌが押し下げられている場合、次いでＣＰＵ５０によって右ボタン２６Ｒが押し下げられているかどうか検知される（ステップＳ７０）。ステップＳ７０において右ボタン２６Ｒが押し下げられている場合、ズームのプリセット位置がＰ３に設定されて撮像装置１０が起動される（ステップＳ７２）。一方、ステップＳ７０において右ボタン２６Ｒが押し下げられていない場合、ズームのプリセット位置がＰ２（３５ｍｍ）に設定されて撮像装置１０が起動される（ステップＳ７４）。
【００４６】
一方、ステップＳ６８において左ボタン２６Ｌが押し下げられていない場合、次いでＣＰＵ５０によって右ボタン２６Ｒが押し下げられているかどうか検知される（ステップＳ７６）。ステップＳ７６において右ボタン２６Ｒが押し下げられている場合、ズームのプリセット位置がＰ４（６５ｍｍ）に設定されて撮像装置１０が起動される（ステップＳ７８）。一方、ステップＳ７６において右ボタン２６Ｒが押し下げられていない場合（あるいは、どのボタンも押されていない場合）、ズームのプリセット位置がＰ３に設定されて撮像装置１０が起動される（ステップＳ８０）。
【００４７】
本実施形態によれば、ズームスイッチ２４、左ボタン２６Ｌ及び右ボタン２６Ｒを用いることにより、より細かくズームのプリセット位置を設定できる。
【００４８】
また、本実施形態によれば、起動時にワイドボタン２４Ｗ及びテレボタン２４Ｔとともにそれぞれの関連スイッチが押し下げられている場合には（ステップＳ５６及びステップＳ６４）プリセット位置をデフォルト位置（Ｐ３）とする。これにより、起動時にワイドボタン２４Ｗやテレボタン２４Ｔに偶然手が触れていた場合等に、ユーザの意志に反してプリセット位置が設定されるのを防止できる。
【００４９】
なお、本実施形態においては、ズームのプリセット位置を５段階としたが、本発明はこれに限定されるものではなく、例えば、ワイド端とテレ端の２段階でもよいし、５段階以上でもよい。
【００５０】
また、本実施形態においては、ズームのプリセット値を所望の値に設定できるようにしたが、本発明はこれに限定されるものではなく、アイリスや露出等の他の撮影パラメータ値のプリセット値を設定できるようにしてもよい。
【００５１】
また、本発明は、デジタルカメラに限定されるものではなく、銀塩カメラやビデオカメラ等にも適用できる。
【図面の簡単な説明】
【００５２】
【図１】本発明の一実施形態に係る撮像装置を示す外観図
【図２】本発明の一実施形態に係る撮像装置の内部構成を示すブロック図
【図３】ズーム位置を模式的に示す図
【図４】本発明の第１の実施形態に係るズーム位置のプリセット方法を示すフローチャート
【図５】本発明の第２の実施形態に係るズーム位置のプリセット方法を示すフローチャート
【図６】本発明の第３の実施形態に係るズーム位置のプリセット方法を示すフローチャート
【図７】本発明の第３の実施形態に係るズーム位置のプリセット方法を示すフローチャート（図６の続き）
【符号の説明】
【００５３】
１０…撮像装置、１２…レンズ、１４…ファインダ窓、１６…ストロボ発光部、１８…レリーズボタン、２０…電源スイッチ、２２…ファインダ、２４…ズームスイッチ、２４Ｗ…ワイドボタン、２４Ｔ…テレボタン、２６…十字ボタン、２６Ｕ…上ボタン、２６Ｄ…下ボタン、２６Ｌ…左ボタン、２６Ｒ…右ボタン、２８…ＯＫボタン、３０…メニュースイッチ、３２…ストロボモードスイッチ、３４…セルフタイマモードスイッチ、３６…削除ボタン、３８…液晶モニタ（ＬＣＤ）、５０…ＣＰＵ、５２…データバス、５４…光学系、５６…撮像素子（ＣＣＤ）、５８…アイリスモータドライバ、６０…ＡＦモータドライバ、６２…ズームカム、６４…ズームモータ、６６…ズームエンコーダ、６８…ズーム位置記憶部、７０…ＣＤＳアナログデコーダ、７２…ホワイトバランスアンプ、７４…γ補正回路、７６…点順次化回路、７８…Ａ／Ｄコンバータ、８０…電子ボリューム（ＥＶＲ）、８２…メモリコントローラ、８４…メインメモリ、８６…操作部、８８…圧縮伸長部、９０…ＭＰＥＧエンコーダ＆デコーダ、９２…ＹＣ信号作成部、９４…外部メモリインターフェイス（外部メモリＩ／Ｆ）、９６…外部機器接続インターフェイス（外部機器接続Ｉ／Ｆ）、９８…モニタ（ＬＣＤ）ドライバ、１００…オーディオ入出力回路、１０２…色変換部、１０４…ＮＴＳＣエンコーダ、１０６…スピーカ、１０８…マイク、１１０…記録メディア、１１２…外部機器
【図１】
2006189589.tif 000003
【図２】
2006189589.tif 000004
【図３】
2006189589.tif 000005
【図４】
2006189589.tif 000006
【図５】
2006189589.tif 000007
【図６】
2006189589.tif 000008
【図７】
2006189589.tif 000009